(57)【特許請求の範囲】
【請求項１】
上下のヒンジ装置にそれぞれ備えたピボット軸で開き扉を枢支して扉枠に回動可能に吊り込むピボットヒンジにおいて、前記開き扉に埋設した固定筒内に、上端軸部が前記開き扉の上端面から突出した状態で上ピボット軸を嵌挿し、該上ピボット軸の上端軸部を保持して前記開き戸の開閉を案内する上部ヒンジ装置であって、
前記扉枠の上枠部に、閉止状態にある前記開き扉の上端面に対向させて、前記上ピボット軸の上端軸部を保持する軸受金具を固着し、該軸受金具には、下端にテーパ面を設けたラッチを突出方向下向きにばね付勢して上下動自在に備え、
前記開き戸を吊り込むとき、前記上ピボット軸の上端軸部が前記テーパ面に当接すると、前記ラッチがばね付勢力に抗して引っ込んでから、再び突出して前記上端軸部に係止して前記上ピボット軸を戻り規制状態で保持してなることを特徴とする、ピボットヒンジの上部ヒンジ装置。
【請求項２】
前記軸受金具には、締付ねじをねじ穴に捩じ込むと、その捩じ込みに従って前記ラッチに押し当たるラッチ押えを備え、前記上端軸部を前記ラッチに係止させて前記上ピボット軸を保持するとき、前記ラッチ押えを前記ラッチに押し当てて、該ラッチの上下動を規制してなることを特徴とする、請求項１に記載のピボットヒンジの上部ヒンジ装置。
【請求項３】
前記ラッチは、前記軸受金具に軸線を中心として回転自在に備える一方、前記テーパ面に回転操作用にすり割りを設けて前記テーパ面の向きを可変としてなることを特徴とする、請求項１又は２に記載のピボットヒンジの上部ヒンジ装置
【請求項４】
前記軸受金具には、押当てピンの軸部に圧縮コイルばねを巻装してなる回り止め手段を備え、前記圧縮コイルばねで付勢して前記押当てピンの頭部を前記ラッチに押し当てて回り止めしてなることを特徴とする、請求項３に記載のピボットヒンジの上部ヒンジ装置。
【発明の詳細な説明】
【技術分野】
【０００１】
本発明は、上下のヒンジ装置にそれぞれ備えたピボット軸で開き扉を枢支して扉枠に回動可能に吊り込むピボットヒンジの中で、特に、上ピボット軸の上端軸部を保持して前記開き戸の開閉を案内する上部ヒンジ装置に関する。
【背景技術】
【０００２】
従来、開き扉用のヒンジの中には、目立たずに装着されて見栄えが良いことから、上下のヒンジ装置に備えたピボット軸で開き扉を枢支して回動可能に扉枠の上下隅部に吊り込む所謂ピボットヒンジが多くなっている。また、この種のピボットヒンジとしては、開時に、開き扉の開操作を途中で止めると、開き扉が閉方向へ自動的に回動して所定の復帰位置へ戻るように、円筒カムを用いた自閉手段を下部ヒンジ装置に備えたグレビィティヒンジ型（特許文献１参照）や、図示しないが、捻りばねの捩れ作用を利用した自閉手段を上部ヒンジ装置に備えたスプリングヒンジ型のものがよく知られている。
【特許文献１】実開昭６１−１３７７６６号公報
【発明の開示】
【発明が解決しようとする課題】
【０００３】
ところが、従来のピボットヒンジでは、扉枠の天井側上枠部と、開き扉との間に隙間が少ない場合に、施工現場で、開き扉を扉枠に吊り込もうとしても、開き扉の上端面から上下動不能に突設された上ピボット軸の上端軸部が障害になって、開き扉を扉枠に吊り込み難く、隙間の狭さによっては、吊り込み不能な場合があるという課題があった。
【課題を解決するための手段】
【０００４】
そこで、上述した課題を解決すべく、請求項１に記載の発明は、たとえば以下に示す図示実施の形態のとおり、上下のヒンジ装置Ｈ１・Ｈ２にそれぞれ備えたピボット軸１５・２３で開き扉Ｄを枢支して扉枠Ｆに回動可能に吊り込むピボットヒンジＨにおいて、前記開き扉Ｄに埋設した固定筒２２内に、上端軸部２３ａが前記開き扉Ｄの上端面１６から突出した状態で上ピボット軸２３を嵌挿し、該上ピボット軸２３の上端軸部２３ａを保持して前記開き戸Ｄの開閉を案内する上部ヒンジ装置Ｈ１であって、前記扉枠Ｆの上枠部１０に、閉止状態にある前記開き扉Ｄの上端面１６に対向させて、前記上ピボット軸２３の上端軸部２３ａを保持する軸受金具２５を固着し、該軸受金具２５には、下端にテーパ面を１７を設けたラッチ３５を突出方向下向きにばね付勢して上下動自在に備え、前記開き戸Ｄを吊り込むとき、前記上ピボット軸２３の上端軸部２３ａが前記テーパ面１７に当接すると、前記ラッチ３５がばね付勢力に抗して引っ込んでから、再び突出して前記上端軸部２３ａに係止して前記上ピボット軸２３を戻り規制状態で保持してなることを特徴とする。
【０００５】
請求項２に記載の発明は、請求項１に記載のピボットヒンジの上部ヒンジ装置において、たとえば以下に示す図示実施の形態のとおり、前記軸受金具２５には、締付ねじ５５を雌ねじ穴２４のようなねじ穴に捩じ込むと、その捩じ込みに従って前記ラッチ３５に押し当たるラッチ押え３７を備え、前記上端軸部２３ａを前記ラッチ３５に係止させて前記上ピボット軸２３を保持するとき、前記ラッチ押え３７を前記ラッチ３５に押し当てて、該ラッチ３５の上下動を規制してなることを特徴とする。
【０００６】
請求項３に記載の発明は、請求項１又は２に記載のピボットヒンジの上部ヒンジ装置において、たとえば以下に示す図示実施の形態のとおり、前記ラッチ３５は、前記軸受金具２５に軸線を中心として回転自在に備える一方、前記テーパ面１７に回転操作用にすり割り１７ａを設けて前記テーパ面１７の向きを可変としてなることを特徴とする。
【０００７】
請求項４に記載の発明は、請求項３に記載のピボットヒンジの上部ヒンジ装置において、たとえば以下に示す図示実施の形態のとおり、前記軸受金具２５には、押当てピン４５の軸部４５ａに圧縮コイルばね４６を巻装してなる回り止め手段３８を備え、前記圧縮コイルばね３６で付勢して前記押当てピン４５の頭部４５ｂを前記ラッチ３５に押し当てて回り止めしてなることを特徴とする。
【発明の効果】
【０００８】
請求項１に記載の発明によれば、開き扉の吊り込み時、上ピボット軸の上端軸部がラッチのテーパ面に当たると、付勢ばねのばね性に基づいて引っ込んでから、再び突出してラッチに上端軸部を係止させて上ピボット軸を戻り規制状態で保持するため、開き扉を建て付ける箇所が、たとえ開き扉と上方の上枠部との間に殆んど隙間のない場合であっても、何ら障害となるものがなく、開き扉を簡単に扉枠に組み付けることができる。
【０００９】
請求項２に記載の発明によれば、上端軸部をラッチに係止させて上ピボット軸を保持するとき、ラッチ押えをラッチに押し当てて、該ラッチの上下動を規制することにより、いったん係止したラッチと上端軸部とが衝撃や振動等によって外れることがなく、上ピボット軸を戻り規制状態で確実に保持して開き戸を吊り込むことができる。
【００１０】
請求項３に記載の発明によれば、締付ねじのねじ穴に対する捩じ込みを緩めて、ラッチ押えによる押し当てを解除し、ラッチを上下動可能な状態にしてから、例えばマイナスドライバ等をテーパ面のすり割りに差し込んでラッチを回転させれば、開き戸を扉枠に吊り込んだり取り外したりするとき、必要に応じて、テーパ面の上ピボット軸に対する向きを簡単な外部操作で変えることができる。
【００１１】
請求項４に記載の発明によれば、締付ねじのねじ穴に対する捩じ込みを緩めて、ラッチ押えによる押し当てを解除し、ラッチを上下動可能な状態にしてから、上ピボット軸の上端軸部をラッチに対し係脱して開き戸を扉枠に吊り込んだり取り外したりするとき、回り止め手段の押当てピン頭部をラッチに押し当ててラッチを回り止めするため、ラッチのテーパ面の向きが途中でズレ動くことがなく、その結果、上ピボット軸の上端軸部がラッチに引っ掛ったりすることなく、簡単に且つスムーズに開き戸を扉枠に吊り込んだり取り外したりすることができる。
【発明を実施するための最良の形態】
【００１２】
以下、図面を参照しつつ、本発明の実施の最良形態について説明する。
【００１３】
図４は、本発明の一例である上部ヒンジ装置を備えたピボットヒンジを用いて開き扉を扉枠に吊り込んだ状態の扉周りを示す斜視図である。図中符号Ｄは回動式の開き扉、Ｆは開き扉Ｄの扉枠、Ｈはピボットヒンジである。ピボットヒンジＨは、下ヒンジ部としての下部ヒンジ装置Ｈ１と、上ヒンジ部としての上部ヒンジ装置Ｈ２とからなり、開き扉Ｄと扉枠Ｆとの間の下部側に下部ヒンジ装置Ｈ１を組み付け、上部側に上部ヒンジ装置Ｈ２を組み付けて、開き扉Ｄを扉枠Ｆに対し回動可能に吊り込む構成になっている。
【００１４】
下部ヒンジ装置Ｈ１は、扉枠Ｆの天井側上枠部１０と対向する床面Ｂにねじ止めする支持金具１１と、開き扉Ｄの下端面にねじ止めする枢着金具１２とで構成する。支持金具１１は、やや細長い板状ブラケット１１ａに回り止め穴形状の軸受穴１３を穿設してなる。一方、枢着金具１２は、開き扉Ｄの下端部に埋設した固定筒１４内に、下端軸部１５ａが軸受穴１３の穴形状と同じ回り止め形状をなす下ピボット軸１５を嵌挿し、下端軸部１５ａを開き扉Ｄの下端面から突出させて保持してなる。下部ヒンジ装置Ｈ１は、枢着金具１２側の下ピボット軸１５の下端軸部１５ａを、扉枠Ｆ側に固定の支持金具１１の軸受穴１３に嵌着して組み立てると、ピボット軸１５を中心に開き扉Ｄを回動可能に軸支する構造になっている。なお、図示しないが、枢着金具１２の固定筒内には、開き扉Ｄが閉じる向きに回動するときに制動力が働いて開き扉Ｄを減速する、オイルダンパ機構のような制動手段が組み込まれている。
【００１５】
他方、上部ヒンジ装置Ｈ２は、図１〜図３に示すように、開き扉Ｄの側に組み付ける枢着金具２０と、扉枠Ｆの側に組み付ける軸受金具２５とで構成してなる。
【００１６】
枢着金具２０は、複数のねじ穴を有したやや細長い取付板２１の一端に固定筒２２を固着して垂設し、該固定筒２２内に上端開口を通して上ピボット軸２３を嵌挿し、該上ピボット軸２３を、上端軸部２３ａが上端開口から所定長さ突出した嵌挿位置で、上下方向に抜け止めして挿設してなる。上ピボット軸２３は、上端軸部２３ａを、外周にそれぞれ対称な一対の円弧面と平面を設けた回り止め形状に成形し、一対の平面が取付板２１の長さ方向と平行な向きになるように、固定筒２２内で位置決め保持してなる。そこで、上部ヒンジ装置Ｈ２は、枢着金具２０の固定筒２２内に不図示のねじりバネを組み込み、ねじりバネの一端をピボット軸２３に掛け止める一方、他端を固定筒２２の一部に掛け止めてスプリングヒンジ構造を形成し、これにより、開時、開き扉Ｄの開操作を途中で止めると、ねじりバネのばね復帰力で開き扉Ｄを閉方向へ自動的に回動して所定の復帰位置へ復帰させる自閉手段を構成している。かかる構造の枢着金具２０は、開き扉Ｄの上端角寄りにあけた取付用筒穴内に固定筒２２を嵌め込んで埋設すると共に、取付板２１を上端面１６上にねじ止めして開き扉Ｄに組み付けてなる。
【００１７】
軸受金具２５は、軸受ベース材２６と取付ピース材２７の２体で金具本体３０を形成し、取付ピース材２７に対し、ラッチ３５、付勢ばね３６、ラッチ押え３７、回り止め手段３８を組み付け、やや細長い矩形状の金属製ばね押え板３９を介して扉枠Ｆの上枠部１０に固着する構成になっている。
【００１８】
金具本体３０の軸受ベース材２６は、焼入れ強化された焼結合金でやや細長い矩形厚板状につくり、一対のねじ挿通穴２８・２８とその間の雌ねじ穴２９を穿設すると共に、長さ方向一端には、上ピボット軸２３の上端軸部２３ａを係合させる軸受凹部２６ａを矩形に切り欠いて設けてなる。
【００１９】
一方、取付ピース材２７は、亜鉛ダイカストで全体にやや細長い略直方形状につくり、軸受ベース材２６の穴２８・２８、２９と対応する位置に雌ねじ穴１８・１８、１９を図中上下の厚さ方向に貫通させて穿設すると共に、図中下面に軸受ベース材２６の外形状に合わせて嵌付凹部２７ａを設ける一方、上面にも、ばね押え板３９の外形状に合わせて嵌付凹部２７ｂが設けられている。更に、長さ方向一端側には、図中下側の角縁２７ｃを斜めに切り欠いて環状の嵌込み穴部３２を凹設し、この嵌込み穴部３２の穴底中心に内周に雌ねじ穴２４を螺設したねじ筒部２７ｄを突設すると共に、嵌込み穴部３２の横で厚さ方向に貫通するガイド穴３３を穿設し、更に、ガイド穴３３には、その雌ねじ穴１８側を一部切り欠いて切欠き穴部３４を付設してなる。切欠き穴部３４には、その内壁の一部に雌ねじを螺設している。ガイド穴３３は、図中下方で円筒穴状のラッチ穴部３３ａと、ラッチ穴部３３ａより一段拡径な円筒穴状をなすバネ収納穴部３３ｂとからなる。ラッチ穴部３３ａは、その図中穴下端寄りでねじ筒部２７ｄ側を一部切り欠いて、隣接する嵌込み穴部３２と連なって開口してなる。
【００２０】
ラッチ３５は、亜鉛ダイカスト製で、図中下端をテーパ面１７を設ける一方、上端には、上端面から軸方向にばね入れ凹部３５ａを凹設すると共に、外周縁に環状に抜止め鍔部３５ｂを設けてなる。更に、テーパ面１７には、これを横断するすり割り１７ａを設け、外周面には、対称な位置にそれぞれ円弧面からなる押当て面４１・４２を図中上下の長さ方向に形成してなる。付勢ばね３６は、圧縮コイルばねからなる。ラッチ押え３７は、亜鉛ダイカストで、中心に貫通するねじ挿通穴３７ａを設け、片面側にねじ筒部２７ｄに合わせて嵌合凹部３７ｂを凹設して円形キャップ状に形成してなる。回り止め手段３８は、金属製の押当てピン４５の軸部４５ａに小径な圧縮コイルばね４６を巻装してなる。
【００２１】
そこで、軸受金具２５は、取付ピース材２７において、ばね入れ凹部３５ａ内にばね一端を入れて付勢ばね３６を装着したラッチ３５を、バネ収納穴部３３ｂからラッチ穴部３３ａに入れて押当て面４１を嵌込み穴部３２側に向ける一方、押当て面４２は切欠き穴部３４側に向けて、ガイド穴３３に挿設する。ガイド穴３３の切欠き穴部３４には、回り止め手段３８を入れて、穴底で押当てピン４５の頭部４５ｂをラッチ３５の押当て面４２に突き当てた状態で配置し、嵌付凹部２７ｂにばね押え板３９を嵌め付けてから、押えねじ５０を、ねじ挿通穴３９ａを通して切欠き穴部３４に捩じ込んでばね押え板３９を固定し、押えねじ５０で拘束して回り止め手段３８を切欠き穴部３４の穴底に内装し、圧縮コイルばね４６でラッチ３５を付勢して片側から押圧する一方、ばね押え板３９で付勢ばね３６を上方から押して抜止め鍔部３５ｂをラッチ穴部３３ａとバネ収納穴部３３ｂ間の段部に押し当て、ラッチ３５を、ガイド穴３３に図中上下に出没自在に且つ軸線を中心に回転可能に組み込む。他方、嵌合凹部３７ｂには、ねじ筒部２７ｄを嵌込み穴部３２に係合させてラッチ押え３７を嵌め込んでから、ねじ筒部２７ｄの雌ねじ穴２４に締付ねじ５５を捩じ込んでラッチ押え３７を締着し、このラッチ押え３７で他側からラッチ３５を押圧して上下動を規制する。それから、軸受金具２５は、ラッチ３５側に軸受凹部２６ａを向けて取付ピース材２７を嵌付凹部２７ａに嵌め付け、締結ねじ６０をばね押え板３９のねじ挿通穴３９ｂに通して雌ねじ穴１９・２９に捩じ込み、取付ピース材２７と軸受ベース材２６を一体に締結して組み立ててなる。
【００２２】
上部ヒンジ装置Ｈ２において、軸受金具２５は、ラッチ３５を一側縦枠部６５側に向けて、雌ねじ穴１８・２８、１８・２８に止めねじ７０を捩じ込んで扉枠Ｆの上枠部１０の他側縦枠部６６側に固着する。
【００２３】
さて、以上の如く構成したピボットヒンジＨで開き扉Ｄを扉枠Ｆに吊り込む場合は、上部ヒンジ装置Ｈ２の軸受金具２５において、予め締付ねじ５５のねじ筒部２７ｄの雌ねじ穴２４に対する捩じ込みを緩めて、ラッチ押え３７による押し当てを解除してラッチ３５を上下動可能な状態に置く。一方で、ラッチ３５は、このとき、上下動は可能であるが、片側から回り止め手段３８の押当てピン４５の頭部４５ｂが押当て面４２に押し当たり、テーパ面１７ａの向きがズレ動かないように回り止めされた状態ある。
【００２４】
しかる後、開き扉Ｄを持ち上げて、図５に示すように、下部ヒンジ装置Ｈ１の支持金具１１の軸受穴１３に、枢着金具１２の下ピボット軸１５の下端軸部１５ａを嵌着させて、下部ヒンジ装置Ｈ１で開き扉Ｄを回動可能に床面Ｂに組み付けて支える。
【００２５】
それから、下部ヒンジ装置Ｈ１で支えて開き扉Ｄを立てながら、図６に示すように、上部ヒンジ装置Ｈ２において、枢着金具２０側の上ピボット軸２３の上端軸部２３ａを軸受金具２５側のラッチ３５へ近づけて、図７に示すように、上端軸部２３ａがラッチ３５のテーパ面１７に当接すると、テーパ面１７に沿ってラッチ３５が付勢ばね３６に抗していったん引っ込んでから、図８に示すように、上端軸部２３ａを乗り越えたところで再び突出し、ラッチ３５と軸受凹部２６ａ内に上端軸部２３ａを係合させて上ピボット軸２３を保持する。次いで、締付ねじ５５をプラスドライバ７７でねじ筒部２７ｄに捩じ込み、ラッチ押え３７を押当て面４１に押し当ててラッチ３５の上下動を規制する。こうして上下ヒンジ装置Ｈ１・Ｈ２で開き扉Ｄをピボット軸１５・２３を中心として回動可能に扉枠Ｆに吊り込む。
【００２６】
従って、開き扉Ｄを吊り込むとき、上部ヒンジ装置Ｈ２によれば、上ピボット軸２３の上端軸部２３ａがラッチ３５のテーパ面１７に当たると、付勢ばね３６のばね性に基づいて引っ込んでから、再び突出してラッチ３５に上端軸部２３ａを係合させて上ピボット軸２３を戻り規制状態で保持するため、図示の如く開き扉Ｄを建て付ける箇所が開き扉Ｄと扉枠Ｆの上枠部１０間に殆んど隙間のない場合であっても、何ら障害となるものがなく、簡単に開き扉Ｄを吊り込むことができる。
【００２７】
なお、開き扉Ｄの使用時、ピボットヒンジＨでは，開き扉Ｄを上記ねじりバネのばね復帰力に抗して開方向へ押し回すと、開き扉Ｄを開けることができる。一方、開時に開き扉Ｄの開操作を途中で止めると、上記ねじりバネのばね復帰力によって開き扉Ｄを閉方向へ自動的に回動して所定の復帰位置へと復帰させることができる。同時に、このように開き扉Ｄが閉方向に回動すると、前記制動手段の制動力が働いて開き扉Ｄを減速し、開き扉Ｄは、扉枠Ｆ等の戸当り部位に強く衝突することなく、ゆっくり静かに閉止する。
【００２８】
さて反対に、上部ヒンジ装置Ｈ２において、開き扉Ｄを取り外すときは、上部ヒンジ装置Ｈ２の軸受金具２５において、吊り込み時と同様に、締付ねじ５５によるねじ筒部２７ｄの雌ねじ穴２４への捩じ込みを緩めて、ラッチ押え３７による押し当てを解除してラッチ３５を上下動可能な状態にしてから、例えばマイナスドライバを用い、これをテーパ面１７のすり割り１７ａに差し込んでラッチ３５を強制的に１８０度回転し、テーパ面１７が上ピボット軸２３の上端軸部２３ａと対向する向きに変える。それから、開き戸Ｄを持って、吊り込み時とは反対向きに傾け、軸受凹部２６ａ内で係合状態の上ピボット軸２３の上端軸部２３ａがラッチ３５のテーパ面１７に当接すると、テーパ面１７に沿ってラッチ３５が付勢ばね３６に抗して引っ込んでから、上端軸部２３ａを乗り越えたところで再び突出して上端軸部２３ａとラッチ３５の係止状態が簡単に外れる。このときも、ラッチ３５は、上下動は可能であるが、片側から回り止め手段３８の押当てピン４５の頭部４５ｂが押当て面４２に押し当って回り止めされた状態あるため、テーパ面１７の向きがズレ動くことがなく、その結果、上ピボット軸２３は、上端軸部２３ａがラッチ３５に引っ掛ったりすることなく、簡単に外すことができる。従って、その後は、開き扉Ｄを持ち上げて、下部ヒンジ装置Ｈ１の下ピボット軸１５の下端軸部１５ａを支持金具１１の軸受穴１３から抜き出せば、開き戸Ｄは簡単に外すことができる。
【図面の簡単な説明】
【００２９】
【図１】本発明の一例であるピボットヒンジの上部ヒンジ装置を組立状態で示す縦断面図である。
【図２】上部ヒンジ装置の軸受金具の分解斜視図である。
【図３】図２とは視る角度違えて示す軸受金具の分解斜視図である。
【図４】本発明の上部ヒンジ装置を備えたピボットヒンジを用いて開き扉を扉枠に吊り込んだ状態の扉周りを示す斜視図である。
【図５】上下のヒンジ装置により開き扉を扉枠に吊り込む状態を示す扉周りの斜視図である。
【図６】開き扉の吊り込み時、軸受金具のラッチに上ピボット軸を近づけた状態を示す拡大縦断面図である。
【図７】ラッチのテーパ面に上ピボット軸の上端軸部が当接した状態を示す拡大縦断面図である。
【図８】上ピボット軸の上端軸部がラッチを乗り越えて係止した状態を示す拡大縦断面図である。
【符号の説明】
【００３０】
Ｄ                開き扉
Ｆ                扉枠
Ｈ                ピボットヒンジ
Ｈ１              下部ヒンジ装置
Ｈ２              上部ヒンジ装置
１０              扉枠の上枠部
１５              下ピボット軸
１５ａ            下端軸部
１６              開き戸の上端面
１７              ラッチのテーパ面
１７ａ            すり割り
２０              枢着金具
２２              固定筒
２３              上ピボット軸
２３ａ            上端軸部
２５              軸受金具
３５              ラッチ
３６              付勢ばね
３７              ラッチ押え
３８              回り止め手段
４５              押当てピン
４６              圧縮コイルばね
５５              締付ねじ
【図１】
0004567033.tif 000002
【図２】
0004567033.tif 000003
【図３】
0004567033.tif 000004
【図４】
0004567033.tif 000005
【図５】
0004567033.tif 000006
【図６】
0004567033.tif 000007
【図７】
0004567033.tif 000008
【図８】
0004567033.tif 000009